(57)【要約】【課題】ボタン類や紐類及びファスナー類などの係止手段を一切使用しない構造にし、着脱及び手入れが容易で且つ着心地も良く、機能美とおしゃれ感覚を兼ね備えたエプロンの提供を主たる目的とする。【解決手段】襟刳り１５の左右に幅広の前肩当て部１３，１４を形成した前身頃２，５，６と、両側を前身頃５，６に連結すると共に、上部側に形成した後肩当て部を前肩当て部１３，１４に連結した後身頃を備え、後身頃は体の背面側で深く重なり合う左後身頃４と右後身頃３で構成し、各後身頃３，４の上部側にはたすき掛け状にして後襟刳り２３を形成する左右の後肩当て部１９，２０を設け、左後身頃４の後肩当て部２０を右側の前肩当て部１４に連結し、右後身頃３の後肩当て部１９を左側の前肩当て部１３に連結した。【選択図】    図３
2004204368.tif 000002
【特許請求の範囲】
【請求項１】
襟刳りの左右に幅広の前肩当て部を形成した前身頃と、両側を前身頃に連結すると共に、上部側に形成した後肩当て部を前肩当て部に連結した後身頃を備え、前記後身頃は体の背面側で深く重なり合う左後身頃と右後身頃で構成し、各後身頃の上部側にはたすき掛け状にして後襟刳りを形成する左右の後肩当て部を設け、左後身頃の後肩当て部を右側の前肩当て部に連結し、右後身頃の後肩当て部を左側の前肩当て部に連結したことを特徴とするエプロン。
【請求項２】
前記前身頃は、上部側に前記前肩当て部を形成して体の中央部を覆う前身頃本体と、内側を前身頃本体に連結して外側を前記左後身頃と右後身頃に連結する左右の前脇布で構成する請求項１に記載したエプロン。
【請求項３】
前記前脇布は、上部側に設けた袖側前脇布と下部側に設けた裾側前脇布で構成され、当該袖側前脇布と裾側前脇布の重ね合わせ部分にポケット布を縫合してポケットを形成する請求項２に記載したエプロン。
【発明の詳細な説明】
【０００１】
【発明の属する技術分野】
本発明は、家事その他の作業を行う際に着用して、衣服が汚れないようにするエプロンに係り、特にボタン類や紐類（ゴム紐を含む）及びファスナー類（面状ファスナーを含む）などによる係止手段を一切使用しない構造にしたエプロンに関するものである。
【０００２】
【従来の技術】
エプロンは、古くから様々な形態のものが使用されているが、その多くはボタン類や紐類及びファスナー類などによる係止手段を使用しており、着脱する際には紐を結んだり解いたり、ボタンやファスナーを付け外しをすると共に、着用した際には係止手段によって身体が拘束を受ける構造であった。
【０００３】
これらの係止手段は、エプロンの着脱操作を煩雑にするだけではなく、洗濯やアイロン掛けなどの手入れをする際に邪魔になったり、頻繁に使用すると劣化してエプロン全体の耐久寿命を低下させる恐れがあると共に、体形に適合したサイズでの着用を困難にしたり、肩こりその他の疲労を生ずる恐れもあった。
【０００４】
また、不意の来客に応対したり、家事その他の作業中に必要を生じた品物を近所に買いに行く場合などに、その都度エプロンを取り外さずに着用したままで済むことが望ましいと共に、他人と共同作業する際に着用することも多いので、機能性だけでなく美的要素も必要であるが、従来のエプロンには乏しかった。
【０００５】
【発明が解決しようとする課題】
そこで本発明では、これら従来技術の課題を解決し得るエプロンを提供するものであり、特にボタン類や紐類及びファスナー類などの係止手段を一切使用しない構造にし、着脱及び手入れが容易で且つ着心地も良く、機能美とおしゃれ感覚を兼ね備えたエプロンの提供を主たる目的とする。
【０００６】
【課題を解決するための手段】
本発明のエプロンは、襟刳りの左右に幅広の前肩当て部を形成した前身頃と、両側を前身頃に連結すると共に、上部側に形成した後肩当て部を前肩当て部に連結した後身頃を備え、前記後身頃は体の背面側で深く重なり合う左後身頃と右後身頃で構成し、各後身頃の上部側にはたすき掛け状にして後襟刳りを形成する左右の後肩当て部を設け、左後身頃の後肩当て部を右側の前肩当て部に連結し、右後身頃の後肩当て部を左側の前肩当て部に連結した。
【０００７】
このエプロンによると、ボタン類や紐類（ゴム紐を含む）及びファスナー類（面状ファスナーを含む）などによる係止手段を一切使用しないで、エプロンを体に装着することが可能な構造であるから、エプロンの着脱操作を容易にし、洗濯やアイロン掛けなどの手入れも容易になると共に、エプロン全体の耐久寿命も向上できる。
【０００８】
特に、後身頃は右後身頃と左後身頃を重ね合わせた構造にすると共に、後肩当て部をたすき掛け状にして前肩当て部に連結したので、着用する際に右後身頃と左後身頃を開くと、左後身頃の後肩当て部が左側の前肩当て部に、右後身頃の後肩当て部が右側の前肩当て部に接近し、接近した各肩当て部を両手で掴んで襟刳りが形成した空間に頭を潜らせた後に、袖無しの場合は袖刳りに袖付きの場合は袖穴に両腕を差し込み、容易に着用することができる。
【０００９】
着用したエプロンは、後肩当て部をたすき掛け状にしたこと及び、各肩当て部を幅広にしたことによってずれ落ちる恐れが無く、しかも肩に局部的な負担をかけないので、長期間に渡って使用した場合でも肩こりその他の疲労を軽減することが可能である。
【００１０】
また、深く重ね合わせた右後身頃と左後身頃は横幅方向に対して自由に拡径及び縮径が可能であるから、細身又は太身の体形に適合したサイズになり、過度の締め付けがなく着心地良く且つ疲労の少ない状態で着用ができると共に、体形に適合してサイズが可変できると、製造者は少品種にしてコストの低減を図ることが可能となり、需要者は購入時におけるサイズの選定が容易になる。
【００１１】
前記エプロンにおける前身頃は、上部側に前記前肩当て部を形成して体の中央部を覆う前身頃本体と、内側を前身頃本体に連結して外側を前記左後身頃と右後身頃に連結する左右の前脇布で構成する形態を採ることがより望ましい。
【００１２】
前身頃は、連続した１枚の布地で形成して両側を直接に左後身頃と右後身頃に連結する形態を採ることも可能であるが、この実施形態のように前脇布を設けて切り替えることによって、ウエストを絞ったり裾を広げたりするなど、体にフィットした所望の形状に加工できる。
【００１３】
前記エプロンにおける前脇布は、上部側に設けた袖側前脇布と下部側に設けた裾側前脇布で構成され、当該袖側前脇布と裾側前脇布の重ね合わせ部分にポケット布を縫合してポケットを形成する形態を採ることができる。
【００１４】
前脇布は、連続した１枚の布地で形成しても良いが、この実施形態のように袖側前脇布と裾側前脇布で形成し、両者の間にポケット布を縫合してポケットを設けると、ポケット袋を縫合する従来のポケットのように縫い目が表面に出ず、ポケット口のみが開口する形状にすることが可能である。
【００１５】
また、上記実施形態を含む本発明のエプロンでは、係止手段を一切無くしたこと、右後身頃と左後身頃の後肩当て部をたすき掛け状にしたこと、右後身頃と左後身頃を深く重ね合わせて拡縮可能にしたこと、前脇布で切り替えて体にフィットするようにしたこと、ポケット口のみが開口するポケット形状にしたこと、などによって従来のエプロンには乏しかった機能美とおしゃれ感覚を兼ね備えた形態に仕上げることができる。
【００１６】
【発明の実施の形態】
以下に、本発明のエプロンを、好適な実施形態を示す添付図面に基づいて詳細に説明するが、図１はエプロンの正面図を、図２は同背面図を、図３は展開状態における正面図を、図４は同背面図を、図５〜９は各構成部分の分解状態における正面図を、図１０は着用状態の模式的な説明図を、それぞれ示す。
【００１７】
エプロン１は、体の正面側を覆う前身頃と体の背面側を覆う後身頃とを備え、図示の実施形態における前身頃は、体の正面側中央を覆う前身頃本体２と、体の正面側両脇を覆う左前脇布５及び右前脇布６で形成され、後身頃は体の背面側で重ね合わせる右後身頃３と左後身頃４で形成されている。
【００１８】
また、図示の実施形態における左前脇布５及び右前脇布６は、中間に設けたポケット１１，１２を境界として袖下側に設けた袖側前脇布７，９と、裾側に設けた裾側前脇布８，１０とで形成し、袖側前脇布７と裾側前脇布８によって左前脇布５を形成すると共に、袖側前脇布９と裾側前脇布１０によって右前脇布６を形成している。
【００１９】
前身頃本体２には、肩全体に被さる幅広の前肩当て部１３，１４を上部側の左右に設け、各前肩当て部１３，１４の内側にＶ溝状の襟刳り１５を形成すると共に、各前肩当て部１３，１４の外側には各前脇布５，６の上端側を縫合した際に、袖刳り１６，１７を形成するように円弧状に裁断している。
【００２０】
前身頃本体２は、各前肩当て部１３，１４の上端側が縫い目１８ａ，１８ｂを介して、右後身頃３及び左後身頃４の上部側に形成した同幅の後肩当て部１９，２０の上端側に縫合されると共に、両脇が縫い目１８ｃ，１８ｄを介して各前脇布５，６の内側端縁に縫合され、各前脇布５，６の外側端縁には縫い目１８ｅ，１８ｆを介して、右後身頃３及び左後身頃４の両脇に縫合されている。
【００２１】
右後身頃３及び左後身頃４には、後肩当て部１９，２０の内側に円弧状の裁断辺２１，２２を設け、後肩当て部１９，２０をたすき掛け状にして重合すると上端側に後襟刳り２３が形成されると共に、前肩当て部１３と後肩当て部１９の間及び前肩当て部１４と後肩当て部２０の間に、袖口２４及び袖口２５がそれぞれ形成される。
【００２２】
この場合のたすき掛け状とは、体の右側の背面側を覆う右後身頃３に形成した後肩当て部１９を、前身頃本体２に形成した左側の前肩当て部１３に縫合すると共に、体の左側の背面側を覆う左後身頃４に形成した後肩当て部２０を、前身頃本体２に形成した右側の前肩当て部１４に縫合するように、後肩当て部１９と後肩当て部２０を交差して前肩当て部１３，１４に縫合することを言う。
【００２３】
後身頃は、右後身頃３と左後身頃４とが前身頃（前身頃本体２及び各前脇布５，６）の背面側に重合されるよう、後肩当て部１９，２０の下側を幅広に形成すると共に、各種の体形に適合して横幅が拡径及び縮径できるよう、右後身頃３と左後身頃４とを深く重ね合わせ、袖下の近傍には作る際に横幅調整を行う重合継目部２６を設けている。
【００２４】
前身頃本体２は、詳細を図５で示すように全体形状が略Ｙ字状で、各前肩当て部１３，１４の上端部には各後肩当て部１９，２０に縫合する縫い代２７ａ，２７ｂを形成すると共に、両側端縁には各前脇布５，６に縫合する縫い代２７ｃ，２７ｄを形成し、各前肩当て部１３，１４の外側には袖刳り１６，１７の上部側となる円弧状の裁断辺１６Ａ，１７Ａを形成している。
【００２５】
また、襟刳り１５及び裁断辺１６Ａ，１７Ａには縫い代２７ｅ，２７ｆ，２７ｇを形成すると共に、各縫い代にバイアステープを宛って縫合するが、裁断辺１６Ａ，１７Ａは各前脇布５，６の各袖側前脇布７，９と縫合する際に、縫合部を含めた折り返し部分にバイアステープを連続状態で宛って縫合し、前裾２８は三つ折り状態で幅広に折り返して縫合する。
【００２６】
後身頃は、右後身頃３と左後身頃４とが左右対称形状であって、図６で詳細を示すように、各後肩当て部１９，２０の上端部と裁断辺２１，２２及び内側端縁及び外側端縁には、縫い代２７ｈ，２７ｉ，２７ｊ，２７ｋを形成すると共に、裁断辺２１，２２の途中に重合継目部２６を形成する襞２９を設けている。
【００２７】
これらの縫い代は、他の構成部品の布と縫合する縫い代２７ｈ，２７ｊの場合には、相手側の縫い代と重合して縫合するが、他の構成部品の布と縫合しない縫い代２７ｉ，２７ｋの場合には、縫い代バイアステープを宛って縫合し、特に後裾３０は三つ折り状態で幅広に折り返して縫合する。
【００２８】
袖側前脇布７，９は、左右対称形状であって、図７で詳細を示すように、内側縁部に縫い代２７ｌを形成し、縫い代２７ｌを縫い代２７ｃ，２７ｄに重合して前身頃本体２に縫合すると共に、外側縁部に縫い代２７ｍを形成し、縫い代２７ｍを縫い代２７ｊに重合して右後身頃３及び左後身頃４に縫合する。
【００２９】
また、上側縁部と下側縁部には縫い代２７ｎ，２７ｏをそれぞれ形成すると共に、上側縁部には前身頃本体２に設けた裁断辺１６Ａ，１７Ａに連続する円弧状の裁断辺３１を形成し、裁断辺１６Ａ，１７Ａの縫い代２７ｇ，２７ｈに連続した状態で縫い代２７ｎにバイアステープを宛って縫合すると、袖刳り１６，１７が形成される。
【００３０】
裾側前脇布８，１０は、左右対称形状であって、図８で詳細を示すように、内側縁部に縫い代２７ｐを形成し、縫い代２７ｐを縫い代２７ｃ，２７ｄに重合して前身頃本体２に縫合すると共に、外側縁部に縫い代２７ｑを形成し、縫い代２７ｑを縫い代２７ｊに重合して右後身頃３及び左後身頃４に縫合する。
【００３１】
また、上側縁部に設けた見返し３２の回りに縫い代２７ｒを形成し、見返し３２を内側へ折り畳んだ状態にして縫合され、下側端部には三つ折り状態で幅広に折り返して縫合し、前裾２８と後裾３０の間に介在する脇裾３３を形成する。
【００３２】
ポケット１１，１２は、袖側前脇布７，９の下部側の表面に裾側前脇布８，１０の上部側をオーバーラップさせ、両者の間に図９で詳細を示す１枚のポケット布３４を差し込んで重ね合わせ、ポケット布３４を袖側前脇布７，９及び裾側前脇布８，１０に縫合することによって形成される。
【００３３】
すなわち、ポケット布３４は下端側に設けた縫い代２７ｓを袖側前脇布７，９の縫い代２７ｏ上に重合して縫合すると共に、上端側に設けた縫い代２７ｔを裾側前脇布８，１０の折り畳んだ見返し３２の縫い代２７ｒ上に重合して縫合し、両側に設けた縫い代２７ｕ，２７ｖを袖側前脇布７，９の縫い代２７ｍ，２７ｌ及び、裾側前脇布８，１０の縫い代２７ｑ，２７ｐに重合して縫合する。
【００３４】
次に、エプロン１の着脱操作を図１０の模式図によって説明すると、右後身頃３及び左後身頃４を左右に開き、左手で前肩当て部１４と後肩当て部２０を掴むと共に、右手で前肩当て部１３と後肩当て部１９を掴み、襟刳り１５に頭をＸ方向へ差し込んだ後に、袖刳り２５に左腕をＹ方向へ袖刳り２４に右腕をＺ方向へ差し込んで着用することができる。
【００３５】
すなわち、後身頃は右後身頃３と左後身頃４を単に重ね合わせているだけなので、容易に左右に開くことができ、たすき掛け状にした一方の後肩当て部１９が一方の前肩当て部１３に近接すると共に、他方の後肩当て部２０が他方の前肩当て部に近接するので、それぞれを両手で掴んで上方へ押し上げると、掴んだ各肩当て部の下側に襟刳り１５による空間ができる。
【００３６】
従って、この空間に頭を差し込んだ状態で首に係止することができると共に、空間の左側には袖刳り２５による開口が右側には袖刳り２４による開口が形成されているので、袖刳り２５の開口に左腕を袖刳り２４の開口に右腕をそれぞれ差し込んで、右後身頃３と左後身頃４を引き下げると着用することができ、また脱ぐ際には着用時と逆の操作を行えば良い。
【００３７】
以上のように、図示の実施形態によるエプロン１では、ボタン類や紐類（ゴム紐を含む）及びファスナー類（面状ファスナーを含む）などによる係止手段を一切使用しない構造にしたので、エプロンの着脱操作を容易にし、洗濯やアイロン掛けなどの手入れも容易になり、エプロン全体の耐久寿命も向上できる。
【００３８】
また、後身頃を構成する右後身頃３及び左後身頃４は、後肩当て部１９，２０をたすき掛け状にして前肩当て部１３，１４に縫合されているので、これによって前記したエプロン１の着脱操作が容易になると共に、横幅を幅広に形成した各肩当て部と相俟って、肩で十分且つ均等に受け止めてずり落ちることが無く、また肩に局部的な負担をかけないで長期間に渡って使用した場合でも肩こりその他の疲労を軽減することが可能である。
【００３９】
また、後身頃は左右の後肩当て部１９，２０をたすき掛けして右後身頃３と左後身頃４を深く重ね合わせているので、横幅方向に対して自由に拡径及び縮径が可能であり、細身又は太身の体形に適合したサイズで着心地良く着用することができると共に、製造者にとっては少品種にしてコストの低減を図ることが可能となり、需要者にとっては購入時におけるサイズの選定が容易になる。
【００４０】
また、前身頃を前身頃本体２と左右の前脇布５，６とで形成し、前脇布５，６によって切り替えることでウエストを絞ったり裾を広げたりするなど、体にフィットした所望の形状に加工できると共に、前脇布５，６を袖側前脇布７，９と裾側前脇布８，１０とで構成し、両者の間にポケット布を縫合してポケット口のみが開口するポケット１１，１２を設けることなどにより、従来のエプロンには乏しかった機能美とおしゃれ感覚を兼ね備えた形態に仕上げることができる。
【００４１】
なお、本発明は図示の実施形態に限定されずに要旨の範囲内において各種の変形を採り得るものであり、例えば袖側前脇布７，９と裾側前脇布８，１０を連続する１枚の布にして前脇布５，６を構成する形態や、前脇布５，６による切り替えを無くして前身頃本体２を広げ、両脇に右後身頃３及び左後身頃４を縫合する形態を採ることも可能である。
【００４２】
また、右後身頃３と左後身頃４の重ね合わせを逆にする形態や、前身頃２側にあるポケット１１，１２を、右後身頃３及び左後身頃４側に設けたり省略する形態、予め袋状に形成したポケットを所望の個所に縫合する形態などを採ることが可能である。
【００４３】
また、襟刳りをＵ字状やコ字状その他の形状にする形態、袖のない形態を袖付きにする形態、襟なしを襟付きにする形態、ワンピース風に着丈を長くしているのを、腰を覆う程度に着丈を短くしたり、図示の実施形態より更にロングにする形態などを採ることも可能である。
【００４４】
因みに、図示の実施形態におけるワンピース１の主要部の概略寸法を示すと、着丈が９６ｃｍ、裾幅が６０ｃｍ、肩当て頂部から袖下までが３０ｃｍ、襟刳りの深さが２５ｃｍ、厚さは略３ｍｍ程度で最大のポケット部分でも５ｍｍ以下である。
【図面の簡単な説明】
【図１】本発明を適用した実施形態によるエプロンの正面図を示す。
【図２】同エプロンの背面図を示す。
【図３】同エプロンの展開状態における正面図を示す。
【図４】同エプロンの展開状態における背面図を示す。
【図５】同エプロンの構成部分である前身頃の正面図を示す。
【図６】同エプロンの構成部分である後身頃の正面図を示す。
【図７】同エプロンの構成部分である袖側前脇布の正面図を示す。
【図８】同エプロンの構成部分である裾側前脇布の正面図を示す。
【図９】同エプロンの構成部分であるエプロン布の正面図を示す。
【図１０】同エプロンの着用状態の模式的な説明図を示す。
【符号の説明】
１  エプロン
２  前身頃本体
３  右後身頃
４  左後身頃
５，６  前脇布
７，９  袖側前脇布
８，１０  裾側前脇布
１１，１２  ポケット
１３，１４  前肩当て部
１５  襟刳り
１６，１７  袖刳り
１６Ａ，１７Ａ  裁断辺（袖刳りの）
１８ａ〜１８ｆ  縫い目
１９，２０  後肩当て部
２１，２２  裁断辺（後襟刳りの）
２３  後襟刳り
２４，２５  袖口
２６  重合継目部
２７ａ〜２７ｖ  縫い代
２８  前裾
２９  襞
３０  後裾
３１  裁断辺（袖側前脇布）
３２  見返し
３３  脇裾
【図１】
2004204368.tif 000003
【図２】
2004204368.tif 000004
【図３】
2004204368.tif 000005
【図４】
2004204368.tif 000006
【図５】
2004204368.tif 000007
【図６】
2004204368.tif 000008
【図７】
2004204368.tif 000009
【図８】
2004204368.tif 000010
【図９】
2004204368.tif 000011
【図１０】
2004204368.tif 000012